(57)【要約】【課題】ある放送方式のチャンネルで番組の放送が終了した後、別の放送方式のチャンネル又は同じ放送方式の別のチャンネルで番組の続きが放送される場合に、簡単な操作で、あるいは、操作なしで番組の続きを視聴又は録画できるようにする。【解決手段】テレビ１０１は地上デジタルテレビ放送のチャンネルＡ１で放送中の番組Ｘを受信して番組Ｘの映像を表示する。携帯端末１０２の撮影部１６０は表示中の映像を撮影する。携帯端末１０２の検出部１４０は撮影された映像から電子透かしを検出して復号し、番組Ｘの続きの情報を得る。携帯端末１０２の制御部１５０は番組Ｘの続きの情報に基づき、番組Ｘの放送終了時刻以降、ワンセグ放送のチャンネルＢ１で放送中の番組Ｘの続きを携帯端末１０２の受信部１３０に受信させる。携帯端末１０２の表示部１７０は番組Ｙｂの映像を表示する。【選択図】図２
2014093725.tif 000002
【特許請求の範囲】
【請求項１】
放送中の番組を受信する受信部と、
前記受信部で受信中の番組の映像に情報が埋め込まれている場合、当該情報を検出する検出部と、
前記検出部により検出された情報に、前記受信部で受信中の番組が放送されている放送方式のチャンネルとは別の放送方式のチャンネル又は同じ放送方式の別のチャンネルで当該受信中の番組の続きが放送されることを示す番組続き情報が含まれている場合、当該受信中の番組の放送終了以降、当該受信中の番組の続きを受信するよう前記受信部を制御する制御部と
を備えることを特徴とする番組受信システム。
【請求項２】
前記制御部は、前記検出部により検出された情報に、前記番組続き情報として、前記受信部で受信中の番組が放送されている放送方式とは別の放送方式で当該受信中の番組の続きが放送されることを示す情報が含まれている場合、前記受信部で受信中の番組の放送終了時に、入力を前記別の放送方式に切り換えるよう前記受信部を制御することを特徴とする請求項１の番組受信システム。
【請求項３】
前記放送方式及び前記別の放送方式の組み合わせは、地上デジタルテレビ放送とワンセグ放送とストリーミング配信とマルチメディア放送と衛星放送とケーブルテレビ放送とを含む複数の放送方式のいずれか２つの組み合わせであることを特徴とする請求項１又は２の番組受信システム。
【請求項４】
前記制御部は、前記検出部により検出された情報に、前記番組続き情報として、前記受信部で受信中の番組が放送されているチャンネルとは別のチャンネルで当該受信中の番組の続きが放送されることを示す情報が含まれている場合、前記受信部で受信中の番組の放送終了時に、チャンネルを前記別のチャンネルに切り換えるよう前記受信部を制御することを特徴とする請求項１の番組受信システム。
【請求項５】
前記番組受信システムは、番組録画装置として構成され、
前記受信部で受信中の番組を録画する録画部
をさらに備えることを特徴とする請求項１から４のいずれかの番組受信システム。
【請求項６】
前記録画部で録画された番組を再生する再生部
をさらに備え、
前記制御部は、前記検出部により検出された情報に前記番組続き情報が含まれている場合、前記受信部で受信中の番組の放送終了以降、当該受信中の番組の続きを、当該受信中の番組と当該受信中の番組の続きとを前記再生部で１つの番組として再生可能な形式で録画するよう前記録画部を制御することを特徴とする請求項５の番組受信システム。
【請求項７】
前記番組受信システムは、前記受信部を備える第１番組受信装置と、前記第１番組受信装置とは別に前記受信部を備えるとともに前記検出部と前記制御部とを備える第２番組受信装置とを有するように構成され、
前記第１番組受信装置の受信部で受信中の番組の映像を表示する表示部と、
前記表示部で表示中の映像を撮影する撮影部と
をさらに備え、
前記検出部は、前記第１番組受信装置の受信部で受信中の番組の映像に情報が埋め込まれている場合、前記撮影部で撮影された映像から当該情報を検出し、
前記制御部は、前記検出部により検出された情報に、前記番組続き情報として、前記第１番組受信装置の受信部で受信中の番組が放送されている放送方式とは別の放送方式で当該受信中の番組の続きが放送されることを示す情報が含まれている場合、当該受信中の番組の放送終了以降、当該受信中の番組の続きを前記第２番組受信装置の受信部に受信させることを特徴とする請求項１の番組受信システム。
【請求項８】
前記検出部は、前記受信部で受信中の番組の映像に情報が電子透かしとして埋め込まれている場合、当該電子透かしを復号することにより当該情報を検出することを特徴とする請求項１から７のいずれかの番組受信システム。
【請求項９】
コンピュータを、
放送中の番組を受信する受信部と、
前記受信部で受信中の番組の映像に情報が埋め込まれている場合、当該情報を検出する検出部と、
前記検出部により検出された情報に、前記受信部で受信中の番組が放送されている放送方式のチャンネルとは別の放送方式のチャンネル又は同じ放送方式の別のチャンネルで当該受信中の番組の続きが放送されることを示す番組続き情報が含まれている場合、当該受信中の番組の放送終了以降、当該受信中の番組の続きを受信するよう前記受信部を制御する制御部
として機能させるためのプログラム。
【発明の詳細な説明】
【技術分野】
【０００１】
本発明は、番組受信システム及びプログラムに関するものである。本発明は、特に、電子透かし利用による映像コンテンツ連携方式等に関するものである。
【背景技術】
【０００２】
テレビ放送及びその受信に関する技術として、本編映像（例えば、通常の野球中継の映像）以外のマルチ映像（例えば、バックネット裏からみた映像、一塁側又は三塁側ベンチの映像、打席をズームアップした映像、観客席の映像）を１つのテレビの画面に表示するものがある。しかし、家族でテレビを視聴しているようなときは本編映像を邪魔することは不評である。よって、別端末での視聴が望ましい。
【０００３】
従来、テレビやレコーダと携帯端末とを連携させる技術がある（例えば、特許文献１〜６参照）。
【０００４】
また、テレビ放送の映像に電子透かしを埋め込む技術がある（例えば、特許文献１，３，５〜７参照）。
【先行技術文献】
【特許文献】
【０００５】
【特許文献１】特表２０１２−５０８４８６号公報
【特許文献２】特開２０１１−２４４０７２号公報
【特許文献３】特開２０１１−３５５７６号公報
【特許文献４】特開２００９−１５９１８８号公報
【特許文献５】特開２００７−１５０３８２号公報
【特許文献６】特開２００５−１７６２８７号公報
【特許文献７】特開２００９−７７１６４号公報
【発明の概要】
【発明が解決しようとする課題】
【０００６】
地上デジタルテレビ放送のチャンネルで番組（例えば、野球中継）の放送が終了した後、別のチャンネルで番組の続きが放送されることがある。従来の技術では、そのような番組を視聴又は録画している場合に、簡単な操作で、あるいは、操作なしで番組の続きを視聴又は録画することができないという課題があった。
【０００７】
本発明は、ある放送方式のチャンネルで番組の放送が終了した後、別の放送方式のチャンネル又は同じ放送方式の別のチャンネルで番組の続きが放送される場合に、簡単な操作で、あるいは、操作なしで番組の続きを視聴又は録画できるようにすることを目的とする。
【課題を解決するための手段】
【０００８】
本発明の一の態様に係る番組受信システムは、
放送中の番組を受信する受信部と、
前記受信部で受信中の番組の映像に情報が埋め込まれている場合、当該情報を検出する検出部と、
前記検出部により検出された情報に、前記受信部で受信中の番組が放送されている放送方式のチャンネルとは別の放送方式のチャンネル又は同じ放送方式の別のチャンネルで当該受信中の番組の続きが放送されることを示す番組続き情報が含まれている場合、当該受信中の番組の放送終了以降、当該受信中の番組の続きを受信するよう前記受信部を制御する制御部とを備える。
【０００９】
前記制御部は、前記検出部により検出された情報に、前記番組続き情報として、前記受信部で受信中の番組が放送されている放送方式とは別の放送方式で当該受信中の番組の続きが放送されることを示す情報が含まれている場合、前記受信部で受信中の番組の放送終了時に、入力を前記別の放送方式に切り換えるよう前記受信部を制御する。
【００１０】
前記放送方式及び前記別の放送方式の組み合わせは、地上デジタルテレビ放送とワンセグ放送とストリーミング配信とマルチメディア放送と衛星放送とケーブルテレビ放送とを含む複数の放送方式のいずれか２つの組み合わせである。
【００１１】
前記制御部は、前記検出部により検出された情報に、前記番組続き情報として、前記受信部で受信中の番組が放送されているチャンネルとは別のチャンネルで当該受信中の番組の続きが放送されることを示す情報が含まれている場合、前記受信部で受信中の番組の放送終了時に、チャンネルを前記別のチャンネルに切り換えるよう前記受信部を制御する。
【００１２】
前記番組受信システムは、番組録画装置として構成され、
前記受信部で受信中の番組を録画する録画部をさらに備える。
【００１３】
前記録画部で録画された番組を再生する再生部をさらに備え、
前記制御部は、前記検出部により検出された情報に前記番組続き情報が含まれている場合、前記受信部で受信中の番組の放送終了以降、当該受信中の番組の続きを、当該受信中の番組と当該受信中の番組の続きとを前記再生部で１つの番組として再生可能な形式で録画するよう前記録画部を制御する。
【００１４】
前記番組受信システムは、前記受信部を備える第１番組受信装置と、前記第１番組受信装置とは別に前記受信部を備えるとともに前記検出部と前記制御部とを備える第２番組受信装置とを有するように構成され、
前記第１番組受信装置の受信部で受信中の番組の映像を表示する表示部と、
前記表示部で表示中の映像を撮影する撮影部とをさらに備え、
前記検出部は、前記第１番組受信装置の受信部で受信中の番組の映像に情報が埋め込まれている場合、前記撮影部で撮影された映像から当該情報を検出し、
前記制御部は、前記検出部により検出された情報に、前記番組続き情報として、前記第１番組受信装置の受信部で受信中の番組が放送されている放送方式とは別の放送方式で当該受信中の番組の続きが放送されることを示す情報が含まれている場合、当該受信中の番組の放送終了以降、当該受信中の番組の続きを前記第２番組受信装置の受信部に受信させる。
【００１５】
前記検出部は、前記受信部で受信中の番組の映像に情報が電子透かしとして埋め込まれている場合、当該電子透かしを復号することにより当該情報を検出する。
【００１６】
本発明の一の態様に係るプログラムは、
コンピュータを、
放送中の番組を受信する受信部と、
前記受信部で受信中の番組の映像に情報が埋め込まれている場合、当該情報を検出する検出部と、
前記検出部により検出された情報に、前記受信部で受信中の番組が放送されている放送方式のチャンネルとは別の放送方式のチャンネル又は同じ放送方式の別のチャンネルで当該受信中の番組の続きが放送されることを示す番組続き情報が含まれている場合、当該受信中の番組の放送終了以降、当該受信中の番組の続きを受信するよう前記受信部を制御する制御部として機能させるためのものである。
【発明の効果】
【００１７】
本発明の一の態様によれば、ある放送方式のチャンネルで番組の放送が終了した後、別の放送方式のチャンネル又は同じ放送方式の別のチャンネルで番組の続きが放送される場合に、簡単な操作で、あるいは、操作なしで番組の続きを視聴又は録画できる。
【図面の簡単な説明】
【００１８】
【図１】実施の形態１の全体構成を示す図。
【図２】実施の形態１に係る番組受信システムの構成を示すブロック図。
【図３】実施の形態１に係る番組受信システムの動作を示すフローチャート。
【図４】実施の形態２の全体構成を示す図。
【図５】実施の形態２に係る番組受信システムの構成を示すブロック図。
【図６】実施の形態２に係る番組受信システムの動作を示すフローチャート。
【図７】実施の形態３の全体構成を示す図。
【図８】実施の形態３に係る番組受信システムの構成を示すブロック図。
【図９】実施の形態３に係る番組受信システムの動作を示すフローチャート。
【発明を実施するための形態】
【００１９】
以下、本発明の実施の形態について、図を用いて説明する。なお、各実施の形態の説明において、「放送」とは、映像（動画）又は映像と音声とからなる番組（デジタルコンテンツ）を、多数の人に同時に受信されることを目的として、無線通信又は有線通信により送信することをいう。「放送」には、地上デジタルテレビ放送、ワンセグ放送、ストリーミング配信（インターネット放送等）、マルチメディア放送、衛星放送、ケーブルテレビ放送（ＣＡＴＶ）が含まれるものとする。「チャンネル」とは、放送のために割り当てられる物理的な伝送路又はそれを示す論理上の識別子（番号等）をいう。「チャンネル」には、ＵＲＬ（Ｕｎｉｆｏｒｍ・Ｒｅｓｏｕｒｃｅ・Ｌｏｃａｔｏｒ）も含まれるものとする。
【００２０】
実施の形態１．
図１は、本実施の形態の全体構成を示す図である。図２は、本実施の形態に係る番組受信システム１００の構成を示すブロック図である。
【００２１】
番組受信システム１００は、テレビ１０１と携帯端末１０２とを有する。
【００２２】
テレビ１０１は、第１番組受信装置の一例であり、受信部１１０を備える。テレビ１０１は、さらに、表示部１２０を備える。
【００２３】
受信部１１０は、例えば、外部のアンテナに接続されたチューナ等で構成される。受信部１１０は、番組放送システム２００から放送中の番組（例えば、野球中継）を受信する。
【００２４】
表示部１２０は、例えば、光源や液晶パネル等で構成される。表示部１２０は、受信部１１０で受信中の番組の映像を表示する。
【００２５】
携帯端末１０２は、第２番組受信装置の一例であり、テレビ１０１とは別に受信部１３０を備えるとともに、検出部１４０と制御部１５０とを備える。携帯端末１０２は、さらに、撮影部１６０と表示部１７０とを備える。
【００２６】
受信部１３０は、例えば、アンテナやチューナや通信モジュール等で構成される。受信部１３０は、テレビ１０１の受信部１１０と同様に、番組放送システム２００から放送中の番組を受信する。
【００２７】
検出部１４０及び制御部１５０は、例えば、コンピュータで構成される。コンピュータは、プロセッサやメモリといったハードウェアデバイスを備える。プロセッサは、検出部１４０や制御部１５０等の機能が実装されたプログラムを実行する。メモリには、このプログラム及びプログラムにより利用されるデータが記憶される。検出部１４０及び制御部１５０の動作については後述する。
【００２８】
撮影部１６０は、例えば、カメラで構成される。撮影部１６０の動作については後述する。
【００２９】
表示部１７０は、例えば、光源や液晶パネル等で構成される。表示部１７０は、テレビ１０１の表示部１２０と同様に、受信部１３０で受信中の番組の映像を表示する。
【００３０】
番組放送システム２００は、地上デジタル放送設備２０１とマルチメディア放送設備２０２とストリーミング配信設備２０３とを有する。
【００３１】
地上デジタル放送設備２０１は、番組送出装置２１０と電子透かし埋め込み装置２２０とを備える。
【００３２】
番組送出装置２１０は、時刻Ｔ１（例えば、１８時）から時刻Ｔ２（例えば、２１時）までアンテナシステム３００を介して地上デジタルテレビ放送（放送方式の一例）のチャンネルＡ１で番組Ｘ（例えば、野球の試合の開始から途中までの中継）を放送する。
【００３３】
また、番組送出装置２１０は、時刻Ｔ２から時刻Ｔ３（例えば、２２時あるいは野球の試合の終了時）までアンテナシステム３００を介して地上デジタルテレビ放送のチャンネルＡ２で番組Ｘの続きである番組Ｙａ（例えば、野球の試合の途中から終了までの中継）を放送する。
【００３４】
また、番組送出装置２１０は、番組Ｙａと同じ時間帯である時刻Ｔ２から時刻Ｔ３までアンテナシステム３００を介してワンセグ放送（放送方式の一例）のチャンネルＢ１で番組Ｘの続きである番組Ｙｂ（例えば、野球の試合の途中から終了までの中継）を放送する。
【００３５】
なお、番組送出装置２１０は、上記以外の時間帯にも地上デジタルテレビ放送のチャンネルＡ１，Ａ２等、ワンセグ放送のチャンネルＢ１等で様々な番組を放送する。
【００３６】
電子透かし埋め込み装置２２０は、番組Ｙａの情報として、番組Ｙａが番組Ｘの続きであり、時刻Ｔ２から時刻Ｔ３まで地上デジタルテレビ放送のチャンネルＡ２で放送されること等を示す情報を生成する。そして、電子透かし埋め込み装置２２０は、番組Ｙａの情報（番組続き情報の一例）を電子透かしとして番組Ｘの映像に事前に埋め込む。よって、番組送出装置２１０により放送される番組Ｘの映像には、番組Ｙａの情報が埋め込まれていることになる。
【００３７】
また、電子透かし埋め込み装置２２０は、番組Ｙｂの情報として、番組Ｙｂが番組Ｘの続きであり、時刻Ｔ２から時刻Ｔ３までワンセグ放送のチャンネルＢ１で放送されること等を示す情報を生成する。電子透かし埋め込み装置２２０は、番組Ｙｂの情報（番組続き情報の一例）を電子透かしとして番組Ｘの映像に事前に埋め込む。よって、番組送出装置２１０により放送される番組Ｘの映像には、番組Ｙａの情報だけでなく、番組Ｙｂの情報も埋め込まれていることになる。
【００３８】
マルチメディア放送設備２０２は、番組送出装置２３０と選局サーバ２４０とを備える。
【００３９】
番組送出装置２３０は、前述した番組Ｙａ，Ｙｂと同じ時間帯である時刻Ｔ２から時刻Ｔ３までアンテナシステム３００を介してマルチメディア放送（放送方式の一例）のチャンネルＣ１で番組Ｘの続きである番組Ｙｃ（例えば、野球の試合の途中から終了までの中継）を放送する。番組送出装置２３０は、遅くとも時刻Ｔ２より前に、番組Ｙｃの情報として、番組Ｙｃが番組Ｘの続きであり、時刻Ｔ２から時刻Ｔ３までマルチメディア放送のチャンネルＣ１で放送されること等を示す情報を生成する。そして、番組送出装置２３０は、地上デジタル放送設備２０１の電子透かし埋め込み装置２２０に対し、番組Ｙｃの情報を送信する。電子透かし埋め込み装置２２０は、番組Ｙｃの情報を受信し、形式等を必要に応じて変更した上で、番組Ｙｃの情報（番組続き情報の一例）を電子透かしとして番組Ｘの映像に事前に埋め込む。よって、地上デジタル放送設備２０１の番組送出装置２１０により放送される番組Ｘの映像には、番組Ｙａ，Ｙｂの情報だけでなく、番組Ｙｃの情報も埋め込まれていることになる。
【００４０】
なお、番組送出装置２３０は、上記以外の時間帯にもマルチメディア放送のチャンネルＣ１等で様々な番組を放送する。
【００４１】
番組送出装置２３０により放送される番組Ｙｃには、スクランブルがかけられている。選局サーバ２４０は、移動通信ネットワーク４００を介して携帯端末１０２からの選局要求を受信すると、その携帯端末１０２の認証を行う。そして、選局サーバ２４０は、認証が成功した携帯端末１０２に対し、移動通信ネットワーク４００を介してチャンネルＣ１のスクランブル解除用の鍵（あるいは番組Ｙｃの個別のスクランブル解除用の鍵）を送信する。
【００４２】
ストリーミング配信設備２０３は、配信サーバ２５０を備える。
【００４３】
配信サーバ２５０は、インターネット５００及び移動通信ネットワーク４００を介して携帯端末１０２から所定のＵＲＬへのアクセスを受け付ける。配信サーバ２５０は、インターネット５００を介して携帯端末１０２以外の端末からも同ＵＲＬへのアクセスを受け付ける。そして、配信サーバ２５０は、各端末に対し（必要に応じて認証を行った上で）、時刻Ｔ１から時刻Ｔ３までインターネット５００（及び移動通信ネットワーク４００）を介してインターネット放送、即ち、ストリーミング配信（放送方式の一例）により番組Ｘ及びその続きを含む番組Ｚ（例えば、野球の試合の開始から終了までの中継）を放送する。配信サーバ２５０は、遅くとも時刻Ｔ２より前に、番組Ｚの情報として、番組Ｚが番組Ｘの続きを含み、時刻Ｔ１から時刻Ｔ３まで上記ＵＲＬで放送されること等を示す情報を生成する。そして、配信サーバ２５０は、地上デジタル放送設備２０１の電子透かし埋め込み装置２２０に対し、番組Ｚの情報を送信する。電子透かし埋め込み装置２２０は、番組Ｚの情報を受信し、形式等を必要に応じて変更した上で、番組Ｚの情報（番組続き情報の一例）を電子透かしとして番組Ｘの映像に事前に埋め込む。よって、地上デジタル放送設備２０１の番組送出装置２１０により放送される番組Ｘの映像には、番組Ｙａ，Ｙｂ，Ｙｃの情報だけでなく、番組Ｚの情報も埋め込まれていることになる。
【００４４】
なお、配信サーバ２５０は、上記以外の時間帯にも上記ＵＲＬ等で様々な番組をストリーミング配信（即ち、放送）する。
【００４５】
ここで、地上デジタル放送設備２０１の電子透かし埋め込み装置２２０は、番組続き情報を番組Ｘの放送時間全体にわたって番組Ｘの映像に埋め込んでもよいし、番組続き情報を番組Ｘの放送時間の一部（例えば、番組Ｘの放送終了直前の数分間）のみに限定して番組Ｘの映像に埋め込んでもよい。また、電子透かし埋め込み装置２２０は、番組続き情報を電子透かしとして番組Ｘの映像に埋め込む代わりに、番組続き情報を可視光通信により受信可能な形式で番組Ｘの映像に埋め込んでもよい。
【００４６】
地上デジタル放送設備２０１の番組送出装置２１０は、放送する番組の映像に番組続き情報が埋め込まれている場合、番組続き情報が埋め込まれていることを示す（あるいは情報の種類や内容等に関わらず電子透かしが埋め込まれていることを示す）文字や記号等を番組の映像に載せることが望ましい。このとき、番組送出装置２１０は、その文字や記号等を番組の電子透かしが埋め込まれている時間全体にわたって番組の映像に載せてもよいが、一部の時間（例えば、数回、番組の放送終了直前の数分間）のみに限定して番組の映像に載せることが好ましい。なお、番組続き情報が埋め込まれていることが番組内で音声により通知されてもよい。
【００４７】
図３は、番組受信システム１００の動作（本実施の形態に係る番組受信方法、本実施の形態に係るプログラムの処理手順）を示すフローチャートである。
【００４８】
前述したように、時刻Ｔ１から時刻Ｔ２まで、地上デジタルテレビ放送のチャンネルＡ１にて番組Ｘが放送されている。ここで、ユーザが、番組Ｘを視るために、テレビ１０１のリモコン（図示していない）等を操作して地上デジタルテレビ放送のチャンネルＡ１を選んだとする。
【００４９】
ステップＳ１０１において、テレビ１０１の受信部１１０は、番組放送システム２００の地上デジタル放送設備２０１の番組送出装置２１０からアンテナシステム３００を介して地上デジタルテレビ放送のチャンネルＡ１で放送中の番組Ｘを受信する。テレビ１０１の表示部１２０は、テレビ１０１の受信部１１０で受信中の番組Ｘの映像を表示する。これにより、ユーザは、テレビ１０１の表示部１２０で番組Ｘを視ることができる。
【００５０】
前述したように、番組Ｘの映像には、番組Ｘの続きである番組Ｙａ，Ｙｂ，Ｙｃの情報、番組Ｘの続きを含む番組Ｚの情報が電子透かしとして埋め込まれている。ここで、ユーザが、電子透かしを読み取るために、携帯端末１０２の撮影部１６０をテレビ１０１の表示部１２０に向けたとする。
【００５１】
ステップＳ１０２において、携帯端末１０２の撮影部１６０は、テレビ１０１の表示部１２０で表示中の映像を撮影する。携帯端末１０２の検出部１４０は、携帯端末１０２の撮影部１６０で撮影された映像から電子透かしを検出して復号し、番組Ｙａ，Ｙｂ，Ｙｃ，Ｚの情報を得る。即ち、携帯端末１０２の検出部１４０は、テレビ１０１の受信部１１０で受信中の番組Ｘの映像に電子透かしとして埋め込まれている情報を検出する。携帯端末１０２の表示部１７０は、携帯端末１０２の検出部１４０により検出された番組Ｙａ，Ｙｂ，Ｙｃ，Ｚの情報とともに、番組Ｙａ，Ｙｂ，Ｙｃ，Ｚを選ぶための画面を表示する。なお、携帯端末１０２の表示部１７０は、番組Ｙａ，Ｙｂ，Ｙｃ，Ｚを選ぶ際の指標として、各番組の視聴に必要な契約の有無、各番組の画質等の情報を表示してもよい。携帯端末１０２の表示部１７０は、さらに、その指標及び各番組の放送時間の長短等に応じて、各番組の選択の可否や優先順位等を表示してもよい。指標となる情報は、番組続き情報に含まれていてもよいし、各番組の放送方式やチャンネルごとに予め定められていてもよい。
【００５２】
前述したように、時刻Ｔ２から時刻Ｔ３まで、地上デジタルテレビ放送のチャンネルＡ２にて番組Ｙａが、ワンセグ放送のチャンネルＢ１にて番組Ｙｂが、マルチメディア放送のチャンネルＣ１にて番組Ｙｃが放送されている。また、時刻Ｔ１から時刻Ｔ３まで、所定のＵＲＬにて番組Ｚがストリーミング配信されている。ここで、ユーザが、番組Ｘの放送終了後に番組Ｙｂを視るために、携帯端末１０２のタッチパネル（表示部１７０）やボタン（図示していない）等を操作して画面上で番組Ｙｂを選んだとする。
【００５３】
ステップＳ１０３において、携帯端末１０２の制御部１５０は、携帯端末１０２の検出部１４０により検出された番組Ｙｂの情報に基づき、時刻Ｔ２以降、番組Ｙｂを携帯端末１０２の受信部１３０に受信させることを判断する。そして、携帯端末１０２の制御部１５０は、時刻Ｔ２又はその直前（例えば、１分前）になると、ワンセグ放送のチャンネルＢ１で番組Ｙｂの受信を開始するよう携帯端末１０２の受信部１３０を制御する。携帯端末１０２の受信部１３０は、番組放送システム２００の地上デジタル放送設備２０１の番組送出装置２１０からアンテナシステム３００を介してワンセグ放送のチャンネルＢ１で放送中の番組Ｙｂを受信する。携帯端末１０２の表示部１７０は、携帯端末１０２の受信部１３０で受信中の番組Ｙｂの映像を表示する。これにより、ユーザは、簡単な操作で、番組Ｘの放送終了後に番組Ｘの続きを視ることができる。例えば、時刻Ｔ２又はその直前になったら携帯端末１０２でワンセグ放送のチャンネルＢ１を選択するといった面倒な操作は不要となる。なお、携帯端末１０２の制御部１５０は、時刻Ｔ３又はその直後（例えば、１分後）になると、番組Ｙｂの受信を終了するよう携帯端末１０２の受信部１３０を制御してもよい。
【００５４】
ここで、ステップＳ１０２の後、ユーザが、番組Ｘの放送終了後に番組Ｙｃを視るために、携帯端末１０２のタッチパネルやボタン等を操作して画面上で番組Ｙｃを選んだとする。
【００５５】
ステップＳ１０３において、携帯端末１０２の制御部１５０は、携帯端末１０２の検出部１４０により検出された番組Ｙｃの情報に基づき、時刻Ｔ２以降、番組Ｙｃを携帯端末１０２の受信部１３０に受信させることを判断する。また、携帯端末１０２の制御部１５０は、番組放送システム２００のマルチメディア放送設備２０２の選局サーバ２４０に対し、移動通信ネットワーク４００を介してチャンネルＣ１の選局要求を送信し、チャンネルＣ１のスクランブル解除用の鍵を取得する。そして、携帯端末１０２の制御部１５０は、時刻Ｔ２又はその直前（例えば、１分前）になると、マルチメディア放送のチャンネルＣ１で番組Ｙｃの受信を開始するよう携帯端末１０２の受信部１３０を制御する。携帯端末１０２の受信部１３０は、番組放送システム２００のマルチメディア放送設備２０２の番組送出装置２３０からアンテナシステム３００を介してマルチメディア放送のチャンネルＣ１で放送中の番組Ｙｃを受信し、携帯端末１０２の制御部１５０により取得された鍵を用いて番組Ｙｃのスクランブルを解除する。携帯端末１０２の表示部１７０は、携帯端末１０２の受信部１３０で受信中（スクランブル解除後）の番組Ｙｃの映像を表示する。これにより、ユーザは、簡単な操作で、番組Ｘの放送終了後に番組Ｘの続きを視ることができる。例えば、時刻Ｔ２又はその直前になったら携帯端末１０２でマルチメディア放送のチャンネルＣ１を選択するといった面倒な操作は不要となる。なお、携帯端末１０２の制御部１５０は、時刻Ｔ３又はその直後（例えば、１分後）になると、番組Ｙｃの受信を終了するよう携帯端末１０２の受信部１３０を制御してもよい。
【００５６】
ここで、ステップＳ１０２の後、ユーザが、番組Ｘの放送終了後に（あるいは番組Ｘの放送途中から）番組Ｚを視るために、携帯端末１０２のタッチパネルやボタン等を操作して画面上で番組Ｚを選んだとする。
【００５７】
ステップＳ１０３において、携帯端末１０２の制御部１５０は、携帯端末１０２の検出部１４０により検出された番組Ｚの情報に基づき、時刻Ｔ２（あるいは時刻Ｔ２より前の任意の時刻）以降、番組Ｚを携帯端末１０２の受信部１３０に受信させることを判断する。そして、携帯端末１０２の制御部１５０は、時刻Ｔ２又はその直前（例えば、１分前）になると、所定のＵＲＬにアクセスして番組Ｚの受信を開始するよう携帯端末１０２の受信部１３０を制御する。携帯端末１０２の受信部１３０は、番組放送システム２００のストリーミング配信設備２０３の配信サーバ２５０からインターネット５００及び移動通信ネットワーク４００を介して所定のＵＲＬでストリーミング配信中の番組Ｚを受信する。携帯端末１０２の表示部１７０は、携帯端末１０２の受信部１３０で受信中の番組Ｚの映像を表示する。これにより、ユーザは、簡単な操作で、番組Ｘの放送終了後に番組Ｘの続きを視ることができる。例えば、時刻Ｔ２又はその直前になったら携帯端末１０２で所定のＵＲＬを入力するといった面倒な操作は不要となる。なお、携帯端末１０２の制御部１５０は、時刻Ｔ３又はその直後（例えば、１分後）になると、番組Ｚの受信を終了するよう携帯端末１０２の受信部１３０を制御してもよい。
【００５８】
以上説明したように、本実施の形態において、番組放送システム２００は、デジタル放送コンテンツに電子透かしで、関連コンテンツへの誘導データを埋め込む。番組受信システム１００は、携帯端末１０２が具備しているカメラを用いて、テレビ１０１の画面を再撮し、その中から短時間（例えば、数秒）で透かしデータを抽出する。番組受信システム１００は、抽出した誘導データから、携帯端末１０２向けに配信されている放送やストリーミングコンテンツに対しての選局を実施する。
【００５９】
従来の機器連携の技術では、メタデータと呼ばれる制御用のデータを、放送局、受信機の全構成要素が規格に従って生成及び利用することが求められる。例えば、地上デジタルテレビ放送のチャンネルでスポーツ中継の放送が終了した後、ワンセグ放送等のチャンネルでスポーツ中継の続きが視聴できれば便利であるが、従来の技術を用いるには、大規模開発・変更が必要となるため、実現が難しい。本実施の形態によれば、電子透かし技術を用いることで、既存設備・方式にほとんど影響を与えることなく低コストでの実現が可能となる。
【００６０】
なお、本実施の形態において、番組放送システム２００は、さらに、衛星（図示していない）を介して衛星放送（放送方式の一例）のチャンネルで番組を放送する設備、ＣＡＴＶ網（図示していない）を介してケーブルテレビ放送（放送方式の一例）のチャンネルで番組を放送する設備を有していてもよい。これらの設備は、地上デジタル放送設備２０１の番組送出装置２１０及び電子透かし埋め込み装置２２０と同様の装置、マルチメディア放送設備２０２の番組送出装置２３０と同様の装置、又は、その両方の装置を備えるものとする。衛星放送及びケーブルテレビ放送で放送される番組は、前述した地上デジタルテレビ放送、ワンセグ放送、マルチメディア放送、ストリーミング配信で放送される番組と同様に扱うことができる。したがって、ユーザは、簡単な操作で、地上デジタルテレビ放送で視ている番組の放送終了後に、その番組の続きを衛星放送又はケーブルテレビ放送で視ることができる。あるいは、ユーザは、簡単な操作で、衛星放送又はケーブルテレビ放送で視ている番組の放送終了後に、その番組の続きをワンセグ放送等で視ることができる。
【００６１】
実施の形態２．
本実施の形態について、主に実施の形態１との差異を説明する。
【００６２】
図４は、本実施の形態の全体構成を示す図である。図５は、本実施の形態に係る番組受信システム１００の構成を示すブロック図である。
【００６３】
番組受信システム１００は、テレビ１０１とカメラ１０３とＳＴＢ１０４（Ｓｅｔ・Ｔｏｐ・Ｂｏｘ）とを有する。
【００６４】
テレビ１０１については、実施の形態１のものと同様である。
【００６５】
カメラ１０３は、撮影部の一例である。カメラ１０３は、テレビ１０１の表示部１２０に表示される映像の少なくとも一部を撮影できるように、テレビ１０１の近傍（例えば、テレビ１０１の本体端部、テレビ１０１が載置されるテレビ台の上）に、テレビ１０１の前面に向けて設置される。カメラ１０３の動作については後述する。
【００６６】
ＳＴＢ１０４は、ケーブル等でテレビ１０１及びカメラ１０３と接続されている。ＳＴＢ１０４は、第２番組受信装置の一例であり、テレビ１０１とは別に受信部１３０を備えるとともに、検出部１４０と制御部１５０とを備える。
【００６７】
受信部１３０は、例えば、外部のアンテナに接続されたチューナや通信モジュール等で構成される。受信部１３０は、テレビ１０１の受信部１１０と同様に、番組放送システム２００から放送中の番組を受信する。
【００６８】
検出部１４０及び制御部１５０は、例えば、コンピュータで構成される。検出部１４０及び制御部１５０の動作については後述する。
【００６９】
なお、ＳＴＢ１０４がテレビ１０１に内蔵されていてもよいし、ＳＴＢ１０４の機能がテレビ１０１に実装されていてもよい。即ち、テレビ１０１及びＳＴＢ１０４は、一体として構成されていてもよい。
【００７０】
番組放送システム２００については、実施の形態１のものと同様である。
【００７１】
図６は、番組受信システム１００の動作（本実施の形態に係る番組受信方法、本実施の形態に係るプログラムの処理手順）を示すフローチャートである。
【００７２】
実施の形態１と同様に、時刻Ｔ１から時刻Ｔ２まで、地上デジタルテレビ放送のチャンネルＡ１にて番組Ｘが放送されている。ここで、ユーザが、番組Ｘを視るために、テレビ１０１のリモコン等を操作して地上デジタルテレビ放送のチャンネルＡ１を選んだとする。
【００７３】
ステップＳ２０１において、テレビ１０１の受信部１１０は、番組放送システム２００の地上デジタル放送設備２０１の番組送出装置２１０からアンテナシステム３００を介して地上デジタルテレビ放送のチャンネルＡ１で放送中の番組Ｘを受信する。テレビ１０１の表示部１２０は、テレビ１０１の受信部１１０で受信中の番組Ｘの映像を表示する。これにより、ユーザは、実施の形態１と同様に、テレビ１０１の表示部１２０で番組Ｘを視ることができる。
【００７４】
実施の形態１と同様に、番組Ｘの映像には、番組Ｘの続きである番組Ｙａ，Ｙｂ，Ｙｃの情報、番組Ｘの続きを含む番組Ｚの情報が電子透かしとして埋め込まれている。前述したように、本実施の形態では、カメラ１０３が、テレビ１０１の前面に向けて設置されている。
【００７５】
ステップＳ２０２において、カメラ１０３は、テレビ１０１の表示部１２０で表示中の映像の少なくとも一部を撮影し、ＳＴＢ１０４に送信する。ＳＴＢ１０４の検出部１４０は、カメラ１０３で撮影された映像から電子透かしを検出して復号し、番組Ｙａ，Ｙｂ，Ｙｃ，Ｚの情報を得る。即ち、ＳＴＢ１０４の検出部１４０は、テレビ１０１の受信部１１０で受信中の番組Ｘの映像に電子透かしとして埋め込まれている情報を検出する。
【００７６】
ステップＳ２０３において、ＳＴＢ１０４の制御部１５０は、ＳＴＢ１０４の検出部１４０により検出された番組Ｙａ，Ｙｂ，Ｙｃ，Ｚの情報に基づき、番組Ｙａ，Ｙｂ，Ｙｃ，Ｚのいずれかを選択する。例えば、ＳＴＢ１０４の制御部１５０は、各番組の視聴に必要な契約の有無、各番組の画質、各番組の放送時間の長短等に応じて、各番組の選択の可否や優先順位等を判断し、判断結果に基づいて番組Ｙａ，Ｙｂ，Ｙｃ，Ｚのいずれかを選択する。指標となる情報は、番組続き情報に含まれていてもよいし、各番組の放送方式やチャンネルごとに予め定められていてもよい。
【００７７】
実施の形態１と同様に、時刻Ｔ２から時刻Ｔ３まで、地上デジタルテレビ放送のチャンネルＡ２にて番組Ｙａが、ワンセグ放送のチャンネルＢ１にて番組Ｙｂが、マルチメディア放送のチャンネルＣ１にて番組Ｙｃが放送されている。また、時刻Ｔ１から時刻Ｔ３まで、所定のＵＲＬにて番組Ｚがストリーミング配信されている。ここで、ステップＳ２０３において、ＳＴＢ１０４の制御部１５０が、番組Ｙａを選択したとする。
【００７８】
ステップＳ２０４において、ＳＴＢ１０４の制御部１５０は、ＳＴＢ１０４の検出部１４０により検出された番組Ｙａの情報に基づき、時刻Ｔ２以降、番組Ｙａをテレビ１０１の受信部１１０に受信させることを判断する。そして、ＳＴＢ１０４の制御部１５０は、時刻Ｔ２になると、チャンネルをチャンネルＡ２に切り換えるようテレビ１０１の受信部１１０を制御する。テレビ１０１の受信部１１０は、番組放送システム２００の地上デジタル放送設備２０１の番組送出装置２１０からアンテナシステム３００を介して地上デジタルテレビ放送のチャンネルＡ２で放送中の番組Ｙａを受信する。テレビ１０１の表示部１２０は、テレビ１０１の受信部１１０で受信中の番組Ｙａの映像を表示する。これにより、ユーザは、操作なしで、番組Ｘの放送終了後に番組Ｘの続きを視ることができる。例えば、時刻Ｔ２になったらテレビ１０１のリモコン等でチャンネルを切り換えるといった面倒な操作は不要となる。なお、ＳＴＢ１０４の制御部１５０は、時刻Ｔ３又はその直後（例えば、１分後）になると、番組Ｙａの受信を終了するようテレビ１０１の受信部１１０を制御してもよい。
【００７９】
ここで、ステップＳ２０３において、ＳＴＢ１０４の制御部１５０が、番組Ｙｂを選択したとする。
【００８０】
ステップＳ２０４において、ＳＴＢ１０４の制御部１５０は、ＳＴＢ１０４の検出部１４０により検出された番組Ｙｂの情報に基づき、時刻Ｔ２以降、番組Ｙｂをテレビ１０１の受信部１１０に受信させることを判断する。そして、ＳＴＢ１０４の制御部１５０は、時刻Ｔ２になると、入力をワンセグ放送に切り換えるようテレビ１０１の受信部１１０を制御する。ＳＴＢ１０４の受信部１３０は、番組放送システム２００の地上デジタル放送設備２０１の番組送出装置２１０からアンテナシステム３００を介してワンセグ放送のチャンネルＢ１で放送中の番組Ｙｂを受信する。テレビ１０１の表示部１２０は、テレビ１０１の受信部１１０で受信中の番組Ｙｂの映像を表示する。これにより、ユーザは、操作なしで、番組Ｘの放送終了後に番組Ｘの続きを視ることができる。例えば、時刻Ｔ２になったらテレビ１０１のリモコン等で入力を切り換えるといった面倒な操作は不要となる。なお、ＳＴＢ１０４の制御部１５０は、時刻Ｔ３又はその直後（例えば、１分後）になると、番組Ｙｂの受信を終了するようテレビ１０１の受信部１１０を制御してもよい。
【００８１】
ここで、ステップＳ２０３において、ＳＴＢ１０４の制御部１５０が、番組Ｚを選択したとする。
【００８２】
ステップＳ２０４において、ＳＴＢ１０４の制御部１５０は、ＳＴＢ１０４の検出部１４０により検出された番組Ｚの情報に基づき、時刻Ｔ２以降、番組ＺをＳＴＢ１０４の受信部１３０に受信させることを判断する。そして、ＳＴＢ１０４の制御部１５０は、時刻Ｔ２になると、所定のＵＲＬにアクセスして番組Ｚの受信を開始するようＳＴＢ１０４の受信部１３０を制御する。ＳＴＢ１０４の受信部１３０は、番組放送システム２００のストリーミング配信設備２０３の配信サーバ２５０からインターネット５００を介して所定のＵＲＬでストリーミング配信中の番組Ｚを受信し、テレビ１０１に送信する。テレビ１０１の表示部１２０は、ＳＴＢ１０４の受信部１３０で受信中の番組Ｚの映像を表示する。これにより、ユーザは、操作なしで、番組Ｘの放送終了後に番組Ｘの続きを視ることができる。例えば、時刻Ｔ２になったらＳＴＢ１０４のリモコン（図示していない）等で所定のＵＲＬに対応するインターネット放送のチャンネルを選択するといった面倒な操作は不要となる。なお、ＳＴＢ１０４の制御部１５０は、時刻Ｔ３又はその直後（例えば、１分後）になると、番組Ｚの受信を終了するようＳＴＢ１０４の受信部１３０を制御してもよい。
【００８３】
なお、ＳＴＢ１０４の受信部１３０は、実施の形態１における携帯端末１０２の受信部１３０と同様に、マルチメディア放送で放送される番組を受信できてもよい。
【００８４】
実施の形態３．
本実施の形態について、主に実施の形態１との差異を説明する。
【００８５】
図７は、本実施の形態の全体構成を示す図である。図８は、本実施の形態に係る番組受信システム１００の構成を示すブロック図である。
【００８６】
番組受信システム１００は、レコーダ１０５として構成されている。
【００８７】
レコーダ１０５は、ケーブル等でテレビ６０１と接続されている。レコーダ１０５は、番組録画装置の一例であり、受信部１３０と検出部１４０と制御部１５０と録画部１８０と再生部１９０とを備える。
【００８８】
受信部１３０は、例えば、外部のアンテナに接続されたチューナや通信モジュール等で構成される。受信部１３０は、番組放送システム２００から放送中の番組を受信する。
【００８９】
検出部１４０、制御部１５０、録画部１８０、再生部１９０は、例えば、コンピュータやハードディスク等で構成される。検出部１４０及び制御部１５０の動作については後述する。録画部１８０は、受信部１３０で受信中の番組を録画する。再生部１９０は、録画部１８０で録画された番組を再生してテレビ６０１に出力する。
【００９０】
番組放送システム２００については、実施の形態１のものと同様である。
【００９１】
図９は、番組受信システム１００の動作（本実施の形態に係る番組受信方法、本実施の形態に係るプログラムの処理手順）を示すフローチャートである。
【００９２】
実施の形態１と同様に、時刻Ｔ１から時刻Ｔ２まで、地上デジタルテレビ放送のチャンネルＡ１にて番組Ｘが放送されている。ここで、ユーザが、レコーダ１０５のリモコン（図示していない）等を操作して番組Ｘの録画を予約したとする。
【００９３】
ステップＳ３０１において、レコーダ１０５の制御部１５０は、時刻Ｔ１又はその直前（例えば、１分前）になると、地上デジタルテレビ放送のチャンネルＡ１で番組Ｘの受信を開始するようレコーダ１０５の受信部１３０を制御する。レコーダ１０５の受信部１３０は、番組放送システム２００の地上デジタル放送設備２０１の番組送出装置２１０からアンテナシステム３００を介して地上デジタルテレビ放送のチャンネルＡ１で放送中の番組Ｘを受信する。レコーダ１０５の録画部１８０は、レコーダ１０５の受信部１３０で受信中の番組Ｘを録画する。
【００９４】
実施の形態１と同様に、番組Ｘの映像には、番組Ｘの続きである番組Ｙａ，Ｙｂ，Ｙｃの情報、番組Ｘの続きを含む番組Ｚの情報が電子透かしとして埋め込まれている。
【００９５】
ステップＳ３０２において、レコーダ１０５の検出部１４０は、レコーダ１０５の受信部１３０で受信中の番組Ｘの映像から電子透かしを検出して復号し、番組Ｙａ，Ｙｂ，Ｙｃ，Ｚの情報を得る。即ち、レコーダ１０５の検出部１４０は、レコーダ１０５の受信部１３０で受信中の番組Ｘの映像に電子透かしとして埋め込まれている情報を検出する。
【００９６】
ステップＳ３０３において、レコーダ１０５の制御部１５０は、レコーダ１０５の検出部１４０により検出された番組Ｙａ，Ｙｂ，Ｙｃ，Ｚの情報に基づき、番組Ｙａ，Ｙｂ，Ｙｃ，Ｚのいずれかを選択する。例えば、レコーダ１０５の制御部１５０は、各番組の視聴に必要な契約の有無、各番組の画質、各番組の放送時間の長短等に応じて、各番組の選択の可否や優先順位等を判断し、判断結果に基づいて番組Ｙａ，Ｙｂ，Ｙｃ，Ｚのいずれかを選択する。指標となる情報は、番組続き情報に含まれていてもよいし、各番組の放送方式やチャンネルごとに予め定められていてもよい。
【００９７】
実施の形態１と同様に、時刻Ｔ２から時刻Ｔ３まで、地上デジタルテレビ放送のチャンネルＡ２にて番組Ｙａが、ワンセグ放送のチャンネルＢ１にて番組Ｙｂが、マルチメディア放送のチャンネルＣ１にて番組Ｙｃが放送されている。また、時刻Ｔ１から時刻Ｔ３まで、所定のＵＲＬにて番組Ｚがストリーミング配信されている。ここで、ステップＳ３０３において、レコーダ１０５の制御部１５０が、番組Ｙａを選択したとする。
【００９８】
ステップＳ３０４において、レコーダ１０５の制御部１５０は、レコーダ１０５の検出部１４０により検出された番組Ｙａの情報に基づき、時刻Ｔ２から時刻Ｔ３まで、番組Ｙａをレコーダ１０５の受信部１３０に受信させ、レコーダ１０５の録画部１８０に録画させることを判断する。そして、レコーダ１０５の制御部１５０は、時刻Ｔ２になると、チャンネルをチャンネルＡ２に切り換えるようレコーダ１０５の受信部１３０を制御する。また、レコーダ１０５の制御部１５０は、時刻Ｔ２になると、番組Ｘの続きを、番組Ｘと番組Ｘの続きとをレコーダ１０５の再生部１９０で１つの番組として再生可能な形式で録画するようレコーダ１０５の録画部１８０を制御する。レコーダ１０５の受信部１３０は、番組放送システム２００の地上デジタル放送設備２０１の番組送出装置２１０からアンテナシステム３００を介して地上デジタルテレビ放送のチャンネルＡ２で放送中の番組Ｙａを受信する。レコーダ１０５の録画部１８０は、レコーダ１０５の受信部１３０で受信中の番組Ｙａを、番組Ｙａと録画済の番組Ｘとをレコーダ１０５の再生部１９０で１つの番組として再生可能な形式で録画する。これにより、ユーザは、操作なしで、番組Ｘの放送終了後に番組Ｘの続きを録画することができる。例えば、レコーダ１０５のリモコン等により番組Ｘの録画とは別に番組Ｙａの録画を予約するといった面倒な操作は不要となる。また、ユーザは、録画した番組Ｘを再生して視る際に、番組Ｘの再生終了後、操作なしで、引き続き番組Ｘの続きを再生して視ることができる。例えば、レコーダ１０５のリモコン等により番組Ｘの再生とは別に番組Ｙａを再生するといった面倒な操作は不要となる。なお、レコーダ１０５の制御部１５０は、時刻Ｔ３になると、番組Ｙａの受信を終了するようテレビ１０１の受信部１１０を制御するとともに、番組Ｙａの録画を終了するようレコーダ１０５の録画部１８０を制御する。
【００９９】
ここで、ステップＳ３０３において、レコーダ１０５の制御部１５０が、番組Ｙｂを選択したとする。
【０１００】
ステップＳ３０４において、レコーダ１０５の制御部１５０は、レコーダ１０５の検出部１４０により検出された番組Ｙｂの情報に基づき、時刻Ｔ２から時刻Ｔ３まで、番組Ｙｂをレコーダ１０５の受信部１３０に受信させ、レコーダ１０５の録画部１８０に録画させることを判断する。そして、レコーダ１０５の制御部１５０は、時刻Ｔ２になると、入力をワンセグ放送に切り換えるようレコーダ１０５の受信部１３０を制御する。また、レコーダ１０５の制御部１５０は、時刻Ｔ２になると、番組Ｘの続きを、番組Ｘと番組Ｘの続きとをレコーダ１０５の再生部１９０で１つの番組として再生可能な形式で録画するようレコーダ１０５の録画部１８０を制御する。レコーダ１０５の受信部１３０は、番組放送システム２００の地上デジタル放送設備２０１の番組送出装置２１０からアンテナシステム３００を介してワンセグ放送のチャンネルＢ１で放送中の番組Ｙｂを受信する。レコーダ１０５の録画部１８０は、レコーダ１０５の受信部１３０で受信中の番組Ｙｂを、番組Ｙｂと録画済の番組Ｘとをレコーダ１０５の再生部１９０で１つの番組として再生可能な形式で録画する。これにより、ユーザは、操作なしで、番組Ｘの放送終了後に番組Ｘの続きを録画することができる。例えば、レコーダ１０５のリモコン等により番組Ｘの録画とは別に番組Ｙｂの録画を予約するといった面倒な操作は不要となる。また、ユーザは、録画した番組Ｘを再生して視る際に、番組Ｘの再生終了後、操作なしで、引き続き番組Ｘの続きを再生して視ることができる。例えば、レコーダ１０５のリモコン等により番組Ｘの再生とは別に番組Ｙｂを再生するといった面倒な操作は不要となる。なお、レコーダ１０５の制御部１５０は、時刻Ｔ３になると、番組Ｙｂの受信を終了するようテレビ１０１の受信部１１０を制御するとともに、番組Ｙｂの録画を終了するようレコーダ１０５の録画部１８０を制御する。
【０１０１】
ここで、ステップＳ３０３において、レコーダ１０５の制御部１５０が、番組Ｚを選択したとする。
【０１０２】
ステップＳ３０４において、レコーダ１０５の制御部１５０は、レコーダ１０５の検出部１４０により検出された番組Ｚの情報に基づき、時刻Ｔ２から時刻Ｔ３まで、番組Ｚをレコーダ１０５の受信部１３０に受信させ、レコーダ１０５の録画部１８０に録画させることを判断する。そして、レコーダ１０５の制御部１５０は、時刻Ｔ２になると、所定のＵＲＬにアクセスして番組Ｚの受信を開始するようレコーダ１０５の受信部１３０を制御する。また、レコーダ１０５の制御部１５０は、時刻Ｔ２になると、番組Ｘの続きを、番組Ｘと番組Ｘの続きとをレコーダ１０５の再生部１９０で１つの番組として再生可能な形式で録画するようレコーダ１０５の録画部１８０を制御する。レコーダ１０５の受信部１３０は、番組放送システム２００のストリーミング配信設備２０３の配信サーバ２５０からインターネット５００を介して所定のＵＲＬでストリーミング配信中の番組Ｚを受信する。レコーダ１０５の録画部１８０は、レコーダ１０５の受信部１３０で受信中の番組Ｚを、番組Ｚと録画済の番組Ｘとをレコーダ１０５の再生部１９０で１つの番組として再生可能な形式で録画する。これにより、ユーザは、操作なしで、番組Ｘの放送終了後に番組Ｘの続きを録画することができる。例えば、レコーダ１０５のリモコン等により番組Ｘの録画とは別に番組Ｚの録画を予約するといった面倒な操作は不要となる。また、ユーザは、録画した番組Ｘを再生して視る際に、番組Ｘの再生終了後、操作なしで、引き続き番組Ｘの続きを再生して視ることができる。例えば、レコーダ１０５のリモコン等により番組Ｘの再生とは別に番組Ｚを再生するといった面倒な操作は不要となる。なお、レコーダ１０５の制御部１５０は、時刻Ｔ３になると、番組Ｚの受信を終了するようテレビ１０１の受信部１１０を制御するとともに、番組Ｚの録画を終了するようレコーダ１０５の録画部１８０を制御する。
【０１０３】
なお、レコーダ１０５の受信部１３０は、実施の形態１における携帯端末１０２の受信部１３０と同様に、マルチメディア放送で放送される番組を受信できてもよい。
【０１０４】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０１０５】
１００  番組受信システム、１０１  テレビ、１０２  携帯端末、１０３  カメラ、１０４  ＳＴＢ、１０５  レコーダ、１１０  受信部、１２０  表示部、１３０  受信部、１４０  検出部、１５０  制御部、１６０  撮影部、１７０  表示部、１８０  録画部、１９０  再生部、２００  番組放送システム、２０１  地上デジタル放送設備、２０２  マルチメディア放送設備、２０３  ストリーミング配信設備、２１０  番組送出装置、２２０  電子透かし埋め込み装置、２３０  番組送出装置、２４０  選局サーバ、２５０  配信サーバ、３００  アンテナシステム、４００  移動通信ネットワーク、５００  インターネット、６０１  テレビ。
【図１】
2014093725.tif 000003
【図２】
2014093725.tif 000004
【図３】
2014093725.tif 000005
【図４】
2014093725.tif 000006
【図５】
2014093725.tif 000007
【図６】
2014093725.tif 000008
【図７】
2014093725.tif 000009
【図８】
2014093725.tif 000010
【図９】
2014093725.tif 000011